(57)【特許請求の範囲】
【請求項１】
入力されたＩＤカードの識別情報を判別する判別手段と、個人別の暗証番号が入力されるテンキー入力部と、異なる物品の保管が可能な複数の保管機構と、前記複数の保管機構に対応して設けられた複数の表示ランプ及び物品取出用の複数のスイッチと、前記物品取出用の複数のスイッチが、それぞれ英文字が割り当てられた前記識別情報の登録用スイッチとして兼用され、該スイッチを用いて入力された名称を含む前記識別情報を登録する登録手段とを備え、上記入力されたＩＤカードの識別情報が予め登録された識別情報と同一と判別されたときに、前記テンキー入力部から入力された暗証番号に応じた保管機構に対応する前記表示ランプを点灯させ、かつ該保管機構から物品の持ち出しが可能な状態にすることを特徴とする物品管理装置。
【請求項２】
物品が前記保管機構に返却されたときに自動的に持ち出し禁止状態になるようにしたことを特徴とする請求項１記載の物品管理装置。
【請求項３】
前記スイッチが操作されたときに該スイッチに対応する保管機構における物品の持ち出しや返却の状況及び名称を含む前記識別情報を表示する表示部を有していることを特徴とする請求項１または２記載の物品管理装置。
【請求項４】
前記各保管機構における物品の持ち出し及び返却の履歴及び名称を含む前記識別情報を印刷出力するプリンタを有していることを特徴とする請求項１ないし３何れか記載の物品管理装置。
【発明の詳細な説明】
【０００１】
【発明の属する技術分野】
本発明は、鍵や印鑑などの貴重品の持ち出し及び返却を自動管理するのに適した物品管理装置に関するものである。
【０００２】
【従来の技術】
一般的なこの種の管理装置として、例えば工場などで鍵の持ち出しと返却の管理を自動的に行うものが知られている。この管理システムにおいては、通常各個人の識別情報が記録されたカードが使用され、このカードと各個人別の暗証番号によって各々の鍵が取り出せるようになっている。また鍵の返却時には、各々の鍵を所定のブロックに取り付ければ良く、自動的にロックされるようになっている。このとき、上記カードや暗証番号は使わない場合も使う場合もある。
【０００３】
【発明が解決しようとする課題】
ところで、上記のような従来の物品管理装置にあっては、各個人の識別情報を登録する場合、外部でメモリに記録して管理装置内に装着するか、あるいは物品持ち出し時に番号入力のために使用するテンキーを用いて管理装置内のメモリに記録するようにしているため、比較的少人数の鍵管理等には向いているが、ＩＤコードとともに各個人の名称や所属名などを登録することが難しく、登録人数が多い場合には対応することができず、装置が大型化するなどの問題点があった。
【０００４】
本発明は、上記のような問題点に着目してなされたもので、ＩＤコードとともに個人の名称等を簡単に登録でき、ログデータや登録人数が多くなっても対応することができ、また小型で安価な構成で実現でき、しかも操作性の良い物品管理装置を提供することを目的としている。
【０００５】
【課題を解決するための手段】
本発明に係る物品管理装置は、次のように構成したものである。
【０００６】
（１）入力されたＩＤカードの識別情報を判別する判別手段と、個人別の暗証番号が入力されるテンキー入力部と、異なる物品の保管が可能な複数の保管機構と、前記複数の保管機構に対応して設けられた複数の表示ランプ及び物品取出用の複数のスイッチと、前記物品取出用の複数のスイッチが、それぞれ英文字が割り当てられた前記識別情報の登録用スイッチとして兼用され、該スイッチを用いて入力された名称を含む前記識別情報を登録する登録手段とを備え、上記入力されたＩＤカードの識別情報が予め登録された識別情報と同一と判別されたときに、前記テンキー入力部から入力された暗証番号に応じた保管機構に対応する前記表示ランプを点灯させ、かつ該保管機構から物品の持ち出しが可能な状態にすることを特徴とする物品管理装置。
【０００７】
（２）物品が前記保管機構に返却されたときに自動的に持ち出し禁止状態になるようにしたことを特徴とする前記（１）記載の物品管理装置。
【０００８】
（３）前記スイッチが操作されたときに該スイッチに対応する保管機構における物品の持ち出しや返却の状況及び名称を含む前記識別情報を表示する表示部を有していることを特徴とする前記（１）または（２）記載の物品管理装置。
【０００９】
（４）前記各保管機構における物品の持ち出し及び返却の履歴及び名称を含む前記識別情報を印刷出力するプリンタを有していることを特徴とする前記（１）ないし（３）何れか記載の物品管理装置。
【００１０】
【発明の実施の形態】
図１は本発明に係る物品管理装置のシステム構成を示すブロック図である。
【００１１】
同図において、１はシステム全体を制御する制御部で、ＣＰＵ等から成り、システムバスにより接続された後述の各部を制御する。２は入力されたＩＤカードの識別情報を判別する判別手段、３は個人別の暗証番号を入力するためのテンキー入力部、４はＬＣＤ等を用いた表示部、５は所望の情報を印字出力可能な小型のプリンタで、巻き取り機能が付いている。
【００１２】
また図１中、６は各個人の名称や所属名などの識別情報をＲＡＭ等のメモリに登録する登録手段、７は物品取出用の複数の表示ランプ付スイッチ部、８は異なる物品の保管が可能な複数の保管機構で、各保管機構８に対応してそれぞれ上記の表示ランプ付スイッチが設けられている。
【００１３】
上記のシステムにおいては、入力されたカード情報の判別手段２による判別結果が良好なときにテンキー入力部３から入力された暗証番号に応じた保管機構８に対応する表示ランプを点灯させて該保管機構８から物品の持ち出しが可能な状態になるように制御される。そして、物品が保管機構８に返却されたときには、自動ロック機能により自動的に持ち出し禁止状態となる。
【００１４】
図２は上記のシステムでキー管理装置として構成されたキーボックスの操作パネルの概略を示す図である。各保管機構８には、押しボタン方式の上述の表示ランプ付スイッチ７ａとキーブロック７ｂが対になって設けられており、各スイッチ７ａは上述の識別情報の登録の際に文字入力するための英文字（Ａ〜Ｚ）が割り当てられている。
【００１５】
また、表示パネル１１の表示部４には操作ガイドが表示されるとともに、キーブロック７ｂへのキーの取り付けや取り外し以外のときにスイッチ７ａが押されたときに該スイッチ７ａに対応する保管機構８におけるキーの持ち出しや返却の状況が表示されるようになっている。
【００１６】
また、上述のＩＤカードはカードスロット１２から挿入され、透明窓１３からはプリンタ５の記録紙が見えるようになっており、プリンタ５からは各保管機構８における物品の持ち出し及び返却の履歴も印字出力されるようになっている。
【００１７】
図３は本実施例における持ち出し時の動作を示すフローチャートである。ＩＤカードが挿入され（ステップＳ１）、識別符号の照合とともに暗証番号の照合が行われると（ステップＳ２）、それに対応した保管機構８のロック解除及びランプ点灯が行われ（ステップＳ３）、そのスイッチ７ａを押すことによりキーの持ち出しが可能となる。そして、キーが持ち出されると（ステップＳ４）、ランプが消灯する（ステップＳ５）。
【００１８】
図４は返却時の動作を示すフローチャートである。キーが差し込まれて返却されたのを確認すると（ステップＳ１１）、上述のように自動的にロックがかかり（ステップＳ１２）、キーが取り出せないようになる。
【００１９】
なお、上記の各フローチャートに示す制御処理は、不図示のＲＯＭに記憶されたプログラムに従って制御部１のＣＰＵにより実行されるものである。
【００２０】
ここで、本実施例では各保管機構８の押しボタン式のスイッチ７ａをキーの取り出し用と識別情報の登録用とに兼用させているので、小型且つ安価な構成で個人の名称や所属名などを漢字や仮名で簡単に登録でき、ログデータや登録人数が多くなっても対応可能であり、利用人数の多い場合に適している。また、押しボタン方式で操作性も良く、管理状況や持ち出し及び返却の履歴も容易に知ることができ、現在物品をどこの所属の誰が持ち出しているのかなども瞬時に知ることができる。
【００２１】
なお、上記実施例ではキー管理装置の場合を示したが、管理する物品としては印鑑や各種カード、あるいは他の重要なものであっても良い。この場合、保管機構８としてはボックスや引き出し、その他種々の形状のものが可能である。
【００２２】
【発明の効果】
以上のように、本発明によれば、ログデータや登録人数が多くなっても対応することができ、また小型で安価な構成で実現でき、しかも操作性が良いという効果がある。
【図面の簡単な説明】
【図１】  本発明に係る物品管理装置のシステム構成を示すブロック図
【図２】  本発明の実施例の概略構成を示す図
【図３】  実施例の持ち出し時の動作を示すフローチャート
【図４】  実施例の返却時の動作を示すフローチャート
【符号の説明】
１  制御部
２  判別手段
３  テンキー入力部
４  表示部
５  プリンタ
６  登録手段
７  表示ランプ付スイッチ部
８  保管機構
【図１】
0004119000.tif 000002
【図２】
0004119000.tif 000003
【図３】
0004119000.tif 000004
【図４】
0004119000.tif 000005